(57)【特許請求の範囲】
【請求項１】
柱の所定高さの位置に取り付けられ、第１の端子、第２の端子、該両端子を電気的に接続する接続レバーが配置される端子台本体と、第１の端子、第２の端子、接続レバーを覆う端子カバーとを備え、前記第１の端子には、柱に装柱される電気機器の第１の接地線が第１の管体を通して端子台本体の上部から接続され、前記第２の端子には、地中の接地極から柱に沿って配線される第２の接地線が第２の管体を通して端子台本体の下部から接続される接地抵抗測定用端子台において、
第１の端子が、端子台本体の上部に配置されるとともに、第２の端子が、端子台本体の下部に配置され、さらに、第１の管体が嵌入される第１の嵌入孔が、端子台本体の天部に形成されるとともに、第２の管体が嵌入される第２の嵌入孔が、端子台本体の底部に形成され、
前記端子カバーが、前記端子台本体と向き合う端子カバー本体と、該端子カバー本体の上端部および下端部から突出し、前記第１の嵌入孔および第２の嵌入孔よりも前面側で前記端子台本体の天部および底部に重なる上延出部および下延出部を有し、端子台本体に対して水平方向にスライドできるように構成されていることを特徴とする接地抵抗測定用端子台。
【請求項２】
前記端子台本体は、前記端子カバーの上延出部および下延出部のそれぞれに重なる端子台本体の天部および底部に端子台本体の幅方向のガイド溝を備え、前記端子カバーは、前記ガイド溝内で移動する移動ピンを前記上延出部および下延出部のそれぞれに備えていることを特徴とする請求項１に記載の接地抵抗測定用端子台。
【請求項３】
前記端子台本体の底部に、水抜き孔が形成されることを特徴とする請求項１または２に記載の接地抵抗測定用端子台。
【発明の詳細な説明】
【技術分野】
【０００１】
本発明は、電柱の所定高さの位置に配置され、電柱の接地線と、電柱に装柱された変圧器や避雷器などの電気機器の接地線とを接続する際に使用される接地抵抗測定用端子台に関する。
【背景技術】
【０００２】
漏電による事故を防ぐため、変圧器、避雷器などの電気機器が装柱された電柱には、接地工事を施すことが義務付けられている。この接地工事は、電柱から所定距離離れた位置に所定深さで接地極となる接地部材を埋め込み、該接地極に導線を接続することにより行われている。そして、接地極の導線と前記電気機器に接続した導線とを接続するための接地抵抗測定用端子台が、電柱に取り付けられている（特許文献１参照）。
【０００３】
この接地抵抗測定用端子台は、上部に配置された、電気機器からの導線を接続する第１の端子と、下部に配置された、接地極からの導線を接続する第２の端子と、両端子を接続・切断する開閉レバーと、第１の端子、第２の端子、および開閉自在の接続レバーとを覆う、上下にスライドするカバーとを備えている。
【０００４】
また、接地抵抗測定用端子台に接続される接地線は、電気設備の技術基準によって、地下７５ｃｍから地表上２ｍまでの部分を、電気用品取締法の適用を受ける合成樹脂管またはこれと同等以上の絶縁効力及び強さのあるもので覆うことが義務付けられている。
【０００５】
そして、接地抵抗を測定する場合は、カバーを上方にスライドさせて、一時的に両導線を切り離して接地極側の導線の接地抵抗を測定する。この測定は一定の期間ごとに行われ、経年変化等で、測定した接地抵抗値が規定値よりも大きくなっている場合は、接地極の補修工事を行って、測定した接地抵抗値が規定値以下になるようにすることが義務付けられている。
【先行技術文献】
【特許文献】
【０００６】
【特許文献１】実公昭５２−５１５７８号公報
【発明の概要】
【発明が解決しようとする課題】
【０００７】
しかしながら、前記公報の接地抵抗測定用端子台の場合、カバーを上方にスライドさせるため、合成樹脂管の上端部、すなわち、２ｍを越えた位置に接地抵抗測定用端子台を配置しなければならず、接地抵抗を測定する際に、接地抵抗測定用端子台の位置まで脚立を使用したり、電柱に登ったりする必要があるという問題がある。
【０００８】
そこで、本発明は、上記課題に鑑み、脚立を使用したり、電柱を登ったりすることなく、接地抵抗を容易にかつ安全に測定することができる接地抵抗測定用端子台を提供することを目的とする。
【課題を解決するための手段】
【０００９】
本発明に係る接地抵抗測定用端子台は、柱の所定高さの位置に取り付けられ、第１の端子、第２の端子、該両端子を電気的に接続する接続レバーが配置される端子台本体と、第１の端子、第２の端子、接続レバーを覆う端子カバーとを備え、前記第１の端子には、柱に装柱される電気機器の第１の接地線が第１の管体を通して端子台本体の上部から接続され、前記第２の端子には、地中の接地極から柱に沿って配線される第２の接地線が第２の管体を通して端子台本体の下部から接続される接地抵抗測定用端子台において、第１の端子が、端子台本体の上部に配置されるとともに、第２の端子が、端子台本体の下部に配置され、さらに、第１の管体が嵌入される第１の嵌入孔が、端子台本体の天部に形成されるとともに、第２の管体が嵌入される第２の嵌入孔が、端子台本体の底部に形成され、前記端子カバーが、前記端子台本体と向き合う端子カバー本体と、該端子カバー本体の上端部および下端部から突出し、前記第１の嵌入孔および第２の嵌入孔よりも前面側で前記端子台本体の天部および底部に重なる上延出部および下延出部を有し、端子台本体に対して水平方向にスライドできるように構成されていることを特徴とする。
【００１０】
かかる構成によれば、端子カバーを端子台本体に対して水平方向にスライドできるように構成したので、上下に配置される第１および第２の管体に対して支障なく、端子カバーをスライドできて、第１の端子、第２の端子、接続レバーを露出させることができる。したがって、電柱において、作業者が手の届く低位置に端子台本体を取り付けることができ、脚立を使用したり、電柱を登ったりすることなく、接地抵抗を容易にかつ安全に測定することができる。
【００１１】
また、第１の端子が、端子台本体の上部に配置されるとともに、第２の端子が、端子台本体の下部に配置され、さらに、第１の管体が嵌入される第１の嵌入孔が、端子台本体の天部に形成されるとともに、第２の管体が嵌入される第２の嵌入孔が、端子台本体の底部に形成されることにより、管体と端子台本体とのシール性を確保できるとともに、上下の管体と、端子台本体とを一直線状にきれいに配置することができて、外観が良好になる。
【００１２】
また、本発明によれば、前記端子台本体は、前記端子カバーの上延出部および下延出部のそれぞれに重なる端子台本体の天部および底部に端子台本体の幅方向のガイド溝を備え、前記端子カバーは、前記ガイド溝内で移動する移動ピンを前記上延出部および下延出部のそれぞれに備えている構成を採用することもできる。
【００１３】
また、本発明によれば、前記端子台本体の底部に、水抜き孔が形成されるような構成を採用することもできる。
【００１４】
この場合、端子台本体に雨水などの水が溜まることがないので、端子台本体内部での不具合を防止でき、正確な接地抵抗を測定することができる。
【発明の効果】
【００１５】
本発明によれば、脚立を使用したり、電柱を登ったりすることなく、接地抵抗を容易にかつ安全に測定することができる。
【図面の簡単な説明】
【００１６】
【図１】本発明の一実施形態に係る接地抵抗測定用端子台の正面図。
【図２】図１の切断側面図。
【図３】図１の平面図。
【図４】図１の底面図。
【図５】カバーがストッパによって移動規制されようとする状態を示す拡大図。
【図６】電柱に接地抵抗測定用端子台をバンドで固定した状態を示す側面図。
【図７】角形の管体が使用される場合の使用態様を示す側面図。
【発明を実施するための形態】
【００１７】
本発明の一実施形態に係る接地抵抗測定用端子台（以下、単に端子台という場合がある。）について図１〜図６を参照しながら説明する。なお、図１を正面から見て、図１の上下左右を、端子台の上部、下部、左側部、右側部とする。また、図２を正面から見て、図２の上下を、端子台の上部、下部とし、左側部を端子台の後部、右側部を端子台の前部とする。また、図３を正面から見て、図３の上下左右を、端子台の後部、前部、左側部、右側部とする。また、図４を正面から見て、図４の上下左右を、端子台の前部、後部、左側部、右側部とする。また、図６を正面から見て、図６の上下を、端子台の上部、下部とし、左側部を端子台の後部、右側部を端子台の前部とする。
【００１８】
本実施形態に係る接地抵抗測定用端子台１は、図１に示すように、端子台本体２と、端子カバー４とを備えている。
【００１９】
端子台本体２は、図１に示すように、縦長の直方体形状を呈している。この端子台本体２の前面２ａの上部に、導電板２０および接続ねじＢ２で構成される第１の端子２００が一対配置されるとともに、前面２ａの下部に、導電板２０および接続ねじＢ２で構成される第２の端子２０１が一対配置されている。導電板２０は、図１に示すように、導電性を有する矩形状の金属板で構成されている。また、接続ねじＢ２は、図２に示すように、端子台本体２の上部および下部に前後方向に形成されたねじ孔２０２に螺合する。そして、上下に配置された両端子２００，２０１を電気的に接続する接続レバー３が２本の取付ねじＢ１，Ｂ１によって取り付けられている。
【００２０】
端子台本体２は、上部に上下方向に形成された第１の接続孔２０３と、下部に上下方向に形成された第２の接続孔２０４とを有している。そして、第１の接続孔２０３および第２の接続孔２０４は、ねじ孔２０２に連通している。
【００２１】
そして、第１の端子２００の第１の接続孔２０３に、電気機器の第１の接地線Ｅ１が接続される。第２の端子２０１の第２の接続孔２０４に、電柱Ｐの第２の接地線Ｅ２が接続される。そして、第１の端子２００に電気機器の第１の接地線Ｅ１が接続され、第２の端子２０１に電柱Ｐの第２の接地線Ｅ２が接続されると、両接地線Ｅ１，Ｅ２が接続レバー３によって電気的に接続されることになる。
【００２２】
また、端子台本体２は、図２に示すように、左右の両側部を貫通するように、該両側部に、電柱Ｐの所定の高さの位置に固定するためのバンドＢが挿通される通し孔２１が形成されている。なお、前記所定の高さとは、２ｍよりも低位置で、作業者が、脚立や電柱Ｐに登ることなく、接地抵抗を測定できる高さをいう。
【００２３】
端子台本体２の天部２ｂおよび底部２ｃには、図２、図３および図４に示すように、合成樹脂製の円形の管体５の端部が嵌入される第１および第２の嵌入孔２２０，２２１が形成されている。該第１および第２の嵌入孔２２０，２２１は、管体５が嵌入できる大きさに形成されている。また、第１および第２の嵌入孔２２０，２２１は、最深部に向かうにしたがって小径になるように形成されている。また、第１および第２の嵌入孔２２０，２２１の最深部の直径は、第１および第２の接続孔２０３，２０４の直径よりも大きく、第１および第２の接続孔２０３，２０４に連通するように形成されている。また、端子台本体２の底部２ｃには、嵌入孔２２０，２２１の両側に、雨水などが滞留しないように、嵌入孔２２０，２２１よりも小径の水抜き孔２３，２３が形成されている。
【００２４】
端子台本体２の天部２ｂの前側の端部、および、底部２ｃの前側の端部のそれぞれに、後述する端子カバー４の上移動ピン４４および下移動ピン４５が遊挿されるガイド溝２４，２４が、端子台本体２の幅方向に沿って形成されている。該ガイド溝２４，２４には、図５に示すように、ガイド溝２４，２４の端部（右側端部）に、上移動ピン４４および下移動ピン４５の移動を規制するストッパ２５が内設されている。該ストッパ２５は、折り曲げ加工された板バネで構成されている。具体的には、先端部に向かうにしたがって大きく開口する開口部２５ａと、該開口部２５ａの幅狭の基端部に繋がる円弧状の閉塞部２５ｂとを有している。
【００２５】
端子カバー４は、図２に示すように、矩形状の端子カバー本体４０と、該端子カバー本体４０の上端部および下端部から外方に水平方向に延出された上延出部４１および下延出部４２とを有している。端子カバー本体４０の中央部には、長手方向に沿って摘み４３が形成されている。また、上延出部４１の内面には、上下方向に上移動ピン４４が固着されるとともに、下延出部４２の内面に、上下方向に下移動ピン４５が固着されている。そして、上移動ピン４４および下移動ピン４５が、端子台本体２のガイド溝２４，２４に遊挿され、端子カバー４がガイド溝２４，２４に沿って左右方向に移動できるように構成されている。
【００２６】
つぎに使用態様について説明する。電柱Ｐに装柱された変圧器、避雷器などの電気機器に第１の接地線Ｅ１が予め接続されているものとする（図示せず）。また、電柱Ｐから所定距離離れた位置に所定深さで接地極となる接地部材が埋め込まれて、該接地極に第２の接地線Ｅ２が予め接続されているものとする（図示せず）。また、接続レバー３によって、第１の端子２００および第２の端子２０１は、電気的に接続されているものとする。また、接地抵抗測定用端子台１の通し孔２１，２１にバンドＢを予め通しておく。この際、端子カバー４は閉じた状態にしておく。
【００２７】
つぎに、電柱Ｐの所定の高さ、作業者の手が届きやすい高さの位置（２ｍよりも低位置）に、接地抵抗測定用端子台１をバンドＢによって固定する（図６参照）。そして、第１の接地線Ｅ１を一方の管体５に挿通するとともに、第２の接地線Ｅ２を他方の管体５に挿通する。この際、両管体５の端部から第１の接地線Ｅ１および第２の接地線Ｅ２を外部へ所定の長さ導出させて、導出した第１の接地線Ｅ１および第２の接地線Ｅ２の被覆を所定の長さ剥ぎ取り、芯線を露出させる。両管体５の端部からの第１の接地線Ｅ１および第２の接地線Ｅ２の導出長さＬ１を、例えば、２０〜２５ｍｍとし、剥ぎ取る被覆の長さＬ２を、例えば、１０〜１５ｍｍとする（図１参照）。
【００２８】
接地抵抗測定用端子台１の端子カバー４を、該端子カバー４の摘み４３を摘んで右側にスライドさせて、端子台本体２の前面２ａを開放させて、第１の端子２００，第２の端子２０１、接続レバー３を露出させる。その後、両管体５，５の端部を、端子台本体２の嵌入孔２２０，２２１にそれぞれ嵌入する。そして、一方の管体５から第１の接地線Ｅ１の芯線部位を第１の端子２００の近傍に位置させるとともに、他方の管体５から第２の接地線Ｅ２の芯線部位を第２の端子２０１の近傍に位置させる。
【００２９】
つぎに、接地抵抗測定用端子台１の第１の端子２００および第２の端子２０１の接続ねじＢ２，Ｂ２を緩めて、電柱Ｐに装柱された電気機器の第１の接地線Ｅ１の芯線部位を、接地抵抗測定用端子台１の第１の端子２００に第１の接続孔２０３に挿入するとともに、電柱Ｐの第２の接地線Ｅ２の芯線部位を、接地抵抗測定用端子台１の第２の端子２０１に第２の接続孔２０４に挿入する。そして、第１端子２００および第２の端子２０１の接続ねじＢ２，Ｂ２を締め付けて、電気機器の第１の接地線Ｅ１を第１の端子２００に接続するとともに、電柱Ｐの第２の接地線Ｅ２を、第２の端子２０１に接続する（図２参照）。
【００３０】
その後、端子カバー４を元の位置に戻し、端子カバー４によって、端子台本体２の前面２ａを閉塞し、導電板２０の第１の端子２００および第２の端子２０１を保護する。
【００３１】
そして、接地抵抗を測定する場合は、端子カバー４を端子台本体２の幅方向（右側）にスライドさせて、取付ねじＢ１，Ｂ１を緩めて、接続レバー３を取り外す。この状態で、第１の端子２００および第２の端子２０１に、接地抵抗計のテスターをあてがって（図示せず）、第１の接地線Ｅ１および第２の接地線Ｅ２間の接地抵抗を測定する。
【００３２】
このように、本発明に係る接地抵抗測定用端子台は、端子カバー４を、端子台本体２の幅方向にスライドさせるだけで、内部の第１および第２の端子２００，２０１と、接続レバー３とを露出させることができる。このため、電柱Ｐにおいて、作業者が手の届く低位置に端子台本体２を取り付けることができ、脚立を使用したり、電柱Ｐを登ったりすることなく、接地抵抗を容易にかつ安全に測定することができる。
【００３３】
なお、本発明に係る接地抵抗測定用端子台は、前記実施形態に限定することなく種々変更することができる。
【００３４】
例えば、前記実施形態の場合、端子カバー４の上延出部４１および下延出部４２によって、端子台本体２の前面２ａの上部および下部と、端子カバー４の上部および下部との隙間を覆蔽するように構成されているが、端子台本体２の前面２ａの左右の両側縁部と、端子カバー４の左右の両側部との隙間は覆蔽されていない。端子台本体２の前面２ａの左右の両側縁部のそれぞれに縦長のシール部材（パッキン）を固着するようにしてもよい（図示せず）。
【００３５】
また、前記実施形態の場合、第１の接地線Ｅ１および第２の接地線Ｅ２を保護する合成樹脂製の管体５として、断面が円形のものを使用したが、図７に示すように、扁平した角形の管体５０を使用してもよい。但し、この場合、管体５０と端子台本体２との接合部Ｓの前側は、端子カバー４の上延出部４１および下延出部４２によってシール性（水密性）は確保できるが、前記接合部Ｓの左右の両側のシール性は確保できない、このため、前記接合部Ｓに角環状のシール部材（パッキン）５１を配置するようにした方がよい。
【符号の説明】
【００３６】
１…接地抵抗測定用端子台、２…端子台本体、３…接続レバー、２０…導電板、４…カバー、５…管体、２００…第１の端子、２０１…第２の端子、２２０，２２１…嵌入孔、２３…水抜き孔、２４…ガイド溝、Ｂ…バンド、Ｅ１…第１の接地線、Ｅ２…第２の接地線、Ｐ…電柱
【図１】
0005465761.tif 000002
【図２】
0005465761.tif 000003
【図３】
0005465761.tif 000004
【図４】
0005465761.tif 000005
【図５】
0005465761.tif 000006
【図６】
0005465761.tif 000007
【図７】
0005465761.tif 000008